(57)【特許請求の範囲】
【請求項１】
多数錠剤９を収納させた、外容器体２と異材質の内袋４とからなる合成樹脂製デラミボトル１と、該ボトルの口頸部外面へ気密に嵌合させたキャップ21とからなり、
上記外容器体一部に吸気孔７を穿設すると共に、
キャップ頂壁中央部に穿設された透孔24が、頂板26下面外周から脚筒27を垂下して形成された栓25の頂板26で気密に密閉され、かつ透孔24とほぼ同外径に設けた脚筒27には吸気孔28が穿設されており、
又上記内袋４内に収納された多数錠剤９は、内袋内負圧化により、外容器体口頸部の上端部内面へ接合された上端部分を除く内袋部分収縮により錠剤全体が吊下げされた集合体状に包持されていて、該包持体８外面と外容器体周壁の内面との間に適当間隙が形成されている
ことを特徴とする、集合体状に袋で包持された錠剤入り容器。
【請求項２】
上記包持体の内袋と外容器体との各底部のパリソン喰切り跡部分において、内袋喰切り跡部分５が外容器喰切り跡部分６内へ融着状態に挾着されている
ことを特徴とする、請求項１記載の集合体状に袋で包持された錠剤入り容器。
【請求項３】
底板12外周からネット状周壁13を上外方へ突出して、該周壁上端に外向きフランジ14を付設させた弾性皿状緩衡材11を設けて、上記栓脚筒27をその皿状緩衡材の中央部内へ垂下させた状態で、上記外向きフランジ14を外容器体口頸部の上端面とキャップ頂壁の外周部下面との間で挾持させた
ことを特徴とする、請求項１又は２記載の集合体状に袋で包持された錠剤入り容器。
【請求項４】
上記内袋４内の負圧化、および栓頂板26による透孔24密閉に先だち、
栓脚筒27の下部を透孔24内へ嵌合させて吸気孔28および透孔24を介して外気と内袋４内とが連通している状態において、
キャップ頂壁22上方へ起立している栓上部をノズル42内へ遊挿させ、ハンマー付き吸引器41のノズル42の先端面をキャップ頂壁22の上面へ気密に圧着させて内袋４内空気を吸引した後、ハンマー43で打栓して栓頂板26の外周面を透孔24の内周面へ気密に圧着させて行う
ことを特徴とする、請求項１、２又は３記載の容器内錠剤の袋による包持方法。
【発明の詳細な説明】
本発明は、集合体状に袋で包持された錠剤入り容器と、該容器内錠剤の袋による包持方法とに関する。
【０００１】
【従来の技術】
錠剤収納容器は、通常胴部上端から肩部を介して起立する剛性の容器体内に錠剤を入れた後、該錠剤上方の容器体部分内へプラスチックシートを塊状に丸めて設けた緩衡材を嵌合させ、容器体口頸部外面へ嵌合させたキャップの頂壁下面で上記緩衡材上部を押圧させている。
【０００２】
【発明が解決しようとする課題】
上記のようにすることで、錠剤を安全に輸送等することが出来るが、錠剤中には破損し易いものもあり、このような錠剤に対しては、上記のような容器は適しない。
【０００３】
本発明は、公知のいわゆるデラミボトルを利用して、該デラミボトルが有する内袋により多数錠剤を集合体状に包持させ、その包持体とデラミボトルの外容器体周壁内面との間に間隙を形成させておくことで錠剤の破損を防止した容器および上記包持体の包持方法に関する。
【０００４】
【課題を解決するための手段】
第１の手段として、多数錠剤９を収納させた、外容器体２と異材質の内袋４とからなる合成樹脂製デラミボトル１と、該ボトルの口頸部外面へ気密に嵌合させたキャップ21とからなり、
上記外容器体一部に吸気孔７を穿設すると共に、
キャップ頂壁中央部に穿設された透孔24が、頂板26下面外周から脚筒27を垂下して形成された栓25の頂板26で気密に密閉され、かつ透孔24とほぼ同外径に設けた脚筒27には吸気孔28が穿設されており、
又上記内袋４内に収納された多数錠剤９は、内袋内負圧化により、外容器体口頸部の上端部内面へ接合された上端部分を除く内袋部分収縮により錠剤全体が吊下げされた集合体状に包持されていて、該包持体８外面と外容器体周壁の内面との間に適当間隙が形成されている。
【０００５】
第２の手段として、第１の手段を有すると共に、上記包持体の内袋と外容器体との各底部のパリソン喰切り跡部分において、内袋喰切り跡部分６が外容器喰切り跡部分６内へ融着状態に挾着されている。
【０００６】
第３の手段として、第１の手段又は第２の手段を有すると共に、底板12外周からネット状周壁13を上外方へ突出して、該周壁上端に外向きフランジ14を付設させた弾性皿状緩衡材11を設けて、上記栓脚筒27をその皿状緩衡材の中央部内へ垂下させた状態で、上記外向きフランジ14を外容器体口頸部の上端面とキャップ頂壁の外周部下面との間で挾持させた。
【０００７】
第４の手段として、上記内袋４内の負圧化、および栓頂板26による透孔24密閉に先だち、
栓脚筒27の下部を透孔24内へ嵌合させて吸気孔28および透孔24を介して外気と内袋４内とが連通している状態において、
キャップ頂壁22上方へ起立している栓上部をノズル42内へ遊挿させ、ハンマー付き吸引器41のノズル42の先端面をキャップ頂壁22の上面へ気密に圧着させて内袋４内空気を吸引した後、ハンマー43で打栓して栓頂板26の外周面を透孔24の内周面へ気密に圧着させて行う。
【０００８】
【発明の実施の形態】
以下図面について説明すると、１は公知のいわゆる合成樹脂製のデラミボトルであり、該ボトルは、剛性で口頸部３を起立する外容器体２と、該外容器体内面へ剥離可能に貼着された異材質の内袋４とからなる。尚該デラミボトルは二層に設けたパリソンを吹込み成形したものであるから、パリソン喰切り跡としての外容器体および内袋の各底壁部分とは内袋喰切り跡部分５が外容器体喰切り跡部分６内へ融着状態で挾着されている。尚図示例は上記底壁部分と内袋４の上部を除く部分は、内袋内負圧化によって外容器体２の内面から剥離した状態を示すものであり、上記負圧化以前にあっては外容器体内面に内袋４は剥離可能に接着するものである。外容器体口頸部３外面には雄ねじが付設されており、該雄ねじ下方の口頸部部分には吸気孔７が穿設させてある。
【０００９】
11は上記口頸部の上端面上へ、底板12の外周から上外方へ突設されたネット状周壁13上端に付設した外向きフランジ14を載置させて、口頸部内へ垂下させた皿状の弾性皿状緩衡材であり、該緩衡材は独立に設けてもよく、又後述のキャップ頂壁の外周部下面から垂下させてもよい。
【００１０】
21は頂壁22外周から周壁23を垂下するキャップであり、周壁23を既述口頸部外面へ螺合させ、その頂壁外周部下面と外容器体口頸部の上端面とで上記弾性緩衡材の外向きフランジ14を気密に挾持している。
【００１１】
その頂壁22中央部には円形の透孔24が穿設されており、又その透孔24は、頂板26外周から脚筒27を垂下し、かつ脚筒27に複数吸気孔28を穿設して設けた栓25の上記頂板26で気密に閉塞されている。該栓25は、二点鎖線で示すように脚筒27下部を透孔24内へ嵌合させて栓上部がキャップ頂壁22上方へ起立する状態にさせておくものであり、脚筒27外径と透孔24とはほぼ同径としている。透孔24の内面には凹溝29を、又頂板26外周面へは突条30を、それぞれ周設させて、透孔24内へ頂板26を嵌合させたとき、凹溝29内へ突条30が気密に嵌合するよう設けるとよい。脚筒27の長さは、頂板26を透孔内へ嵌合させたとき、皿状緩衡材11内へ入るよう設けている。
【００１２】
既述内袋４内へは多数の錠剤を入れ、内袋内負圧化により、外容器体上端部分内面に接合された内袋の上端部分を除く内袋部分は収縮して、錠剤全体を集合体状に包持する包持体８を形成する。
【００１３】
上記内袋４内の負圧化は、図２左半が示すように、栓脚筒27の下部を透孔24内へ嵌合させて栓25を起立させ、吸気孔28および透孔24を介して内袋４内と外気とが連通する状態で、ハンマー付き吸引器41のノズル42先端面を、該ノズル内へ上記栓上部が遊挿された状態でキャップ頂壁22の上面へ気密に圧接させ、該状態で吸引すると、内袋４内は負圧化し、すると吸気孔７を通って外気が内袋４と外容器体２との間へ入ることで内袋内錠剤は内袋により集合体状に包持され、該包持体８外面と外容器体２との間には適宜間隙が形成される。該吸引完了後、ハンマー43で打栓して図２右半が示すように栓頂板26を透孔24内へ気密に嵌合させればよい。次いで吸引器41を除去する。
【００１４】
通常上記内袋内負圧化によって、既述内袋の喰切り跡部分５は、外容器体底部の喰切り跡部分６内に融着状態で挾着されているが、上記のように栓頂板26を透孔24内へ嵌合させて錠剤を内袋により包持させた後であれば、外容器体底部を介して包持体８底部を押上げることで内袋の喰切り跡部分５を外容器体の喰切り跡部分内から上方へ抜出すことが可能であり、このようにすることで内袋の底部と外容器体の底部との間に隙間を形成させることが出来る。
【００１５】
既述キャップ、栓、皿状緩衡材も合成樹脂製としている。尚緩衡材は通気性のあるコルクで形成してもよく、又合成樹脂製シートを複数の塊状に丸めて形成してもよい。但しいずれの場合も緩衡材上面中央部へは栓脚筒27が下降できる凹部を設けることが必要となる。
【００１６】
【発明の効果】
請求項１記載の発明の場合は、内袋４内の多数錠剤全体が、上部を除く内袋部分収縮により包持体８として、該包持体外周と外容器体周壁との間に間隙を周設させて吊下げ状態に保持されることとなるから、外容器体外面に可成りの衝撃が加えられても上記包持体中の錠剤の破損を防止できる。
【００１７】
請求項２記載のように形成することで、上記包持体８下端が揺動することがなく、よって外容器体横方向に加えられた衝撃で包持体下部が外容器体周壁の下部内面へ強く当たることを防止でき、よって錠剤の破損を防止できる。
【００１８】
請求項３のように形成することで、皿状緩衡材11の外向きフランジ14でパッキングを兼用させることが出来、又栓脚筒27を皿状緩衡材11内へ垂下できるため、その栓25の打栓が容易となる。
【００１９】
請求項４のようにすることで、請求項１、２又は３記載の容器を容易に形成できる。
【図面の簡単な説明】
【図１】  本発明容器の半断面図である。
【図２】  図１要部の拡大断面図である。
【図３】  本発明方法の説明図である。
【符号の説明】
１…デラミボトル        ２…外容器体
４…内袋                ７…吸気孔
８…包持体              11…皿状緩衡材
21…キャップ            24…透孔
25…栓                  27…脚筒
41…ハンマー付き吸引器
【図１】
0003830732.tif 000002
【図２】
0003830732.tif 000003
【図３】
0003830732.tif 000004